(57)【要約】【課題】上部に小石等の装飾性敷設材を充填し得る通水被覆装置にあって、容易かつ低コストで製作できるとともに、溝路の清掃時における取扱い性に優れた溝路の通水被覆装置を提供する。【解決手段】溝路１の上部で互いに対向する左右の側板６，６を、両端部が溝路１の左右の側壁４，４上に乗載される複数の梁部材１０で連結するとともに、多数の通水孔９が穿設された底板部材８を左右の側板６，６間で梁部材１０上に着脱可能に載置して、底板部材８と左右の側板６，６とで囲繞される空間によって、粒状またはマット状の装飾性敷設材１４を充填し得る充填空間１３を形成した。これにより、通水被覆装置５の構造が簡単となり、容易かつ低コストで製作することができる一方、溝路１の清掃時に底板部材８のみを取り外したり、再度被着したりすることができるため、その着脱操作が容易であり、取扱い性に優れたものとなる。【選択図】図１
2008208636.tif 000002
【特許請求の範囲】
【請求項１】
溝路の上部で互いに対向する左右の側板と、
該両側板の長手方向に所定間隔で配設されて両側板を連結し、かつ左右両端部が溝路の左右の側壁上に乗載される複数の梁部材と、
多数の通水孔が穿設され、左右の側板間で梁部材上に配設されて溝路の上部を覆う底板部材と
を備えてなり、
前記底板部材と左右の側板とで囲繞される空間によって、粒状またはマット状の装飾性敷設材を充填し得る充填空間が形成されていることを特徴とする溝路の通水被覆装置。
【請求項２】
底板部材が、梁部材上に着脱可能に載置されていることを特徴とする請求項１記載の溝路の通水被覆装置。
【発明の詳細な説明】
【技術分野】
【０００１】
本発明は、排水溝等の溝路の上部を通水可能に被覆する溝路の通水被覆装置に関する。
【背景技術】
【０００２】
Ｕ字溝ブロック等の溝路部材を用いて構築される溝路の上部を通水可能に被覆する通水被覆装置にあって、特に公園や整備された街路等の景観と調和するように上部に多数の小石を流動可能に充填し得るようにしたものが知られている（例えば、特許文献１参照）。かかる通水被覆装置は、矩形状の囲い枠の底部に多数のメインバー及びクロスバーを格子状に組み付けてなる格子部を配設した透水性グレーチングを、溝路の上部の開口部に設置し、前記囲い枠内で格子部上に多数の小石を流動可能に充填するようにした構成や、溝路の両側壁上部に互いに対向する受枠を設け、該両受枠間の下部に多数のメインバー及びクロスバーを格子状に組み付けてなる透水性グレーチングを収納して溝路の上部の開口部を覆い、この透水性グレーチングの上面側における両受枠間の空間内に、多数の小石を流動可能に充填するようにした構成となっている。
【０００３】
かかる構成にあっては、透水性グレーチングの格子部上または格子状の透水性グレーチング上に多数の小石が接着剤等で相互に結合されること無く流動可能に充填されていることにより、雨水等の水を各小石間の隙間を通して溝路に流入させることができ、また、泥等が浸入しても流動可能な小石の移動によってふるい落とされ、目詰まりが起こり難いため、水の透過性を長期に亘って良好に保持することができる。一方、多数の小石によって溝路の上部が覆われていることにより、その外観に不自然さがなく、公園や整備された街路等の景観と良好に調和するという利点がある。
【特許文献１】特開２００２−２３５３６４号公報
【発明の開示】
【発明が解決しようとする課題】
【０００４】
ところで、上述した先行技術にかかる通水被覆装置にあっては、上部に充填される多数の小石の重量に耐え得るように、メインバー及びクロスバーを格子状に組み付けた金属製グレーチング構造を採用しているため、製作に手間が掛かる上、コストが高いという問題点があり、また、施工後においては、溝路の清掃時に、金属製グレーチング構造を備えた透水性グレーチング全体を溝路から取り外したり、再度被着したりしなければならず、この場合に、該透水性グレーチングがかなり重いため、相当の労力を要し、その取扱い性が悪いという問題点があった。
【０００５】
本発明は、上部に小石等の装飾性敷設材を充填し得る通水被覆装置にあって、容易かつ低コストで製作できるとともに、溝路の清掃時における取扱い性に優れた溝路の通水被覆装置を提供することを目的とするものである。
【課題を解決するための手段】
【０００６】
本発明は、溝路の上部で互いに対向する左右の側板と、該両側板の長手方向に所定間隔で配設されて両側板を連結し、かつ左右両端部が溝路の左右の側壁上に乗載される複数の梁部材と、多数の通水孔が穿設され、左右の側板間で梁部材上に配設されて溝路の上部を覆う底板部材とを備えてなり、前記底板部材と左右の側板とで囲繞される空間によって、粒状またはマット状の装飾性敷設材を充填し得る充填空間が形成されていることを特徴とする溝路の通水被覆装置である。
【０００７】
ここで、底板部材は、多数の通水孔を穿設した平板状金属薄板や該平板状金属薄板の外周に周壁部を備えた浅底箱状のものが好適に用いられ得る。また、装飾性敷設材とは、周囲の景観と良好に調和する外観的特徴を備えた敷設材であり、粒状のものとしては、那智黒石，伊勢砂利，砕石等の小石や、ガラス，セラミックス製の粒体が、また、マット状のものとしては、苔類，タマリュウ等の常緑宿根草，芝生等を植生したマット材が好適に用いられ得る。
【０００８】
また、前記底板部材が、梁部材上に着脱可能に載置されている構成が提案される。
【発明の効果】
【０００９】
本発明は、上述したように、溝路の上部で互いに対向する左右の側板と、該両側板の長手方向に所定間隔で配設されて両側板を連結し、かつ左右両端部が溝路の左右の側壁上に乗載される複数の梁部材と、多数の通水孔が穿設され、左右の側板間で梁部材上に配設されて溝路の上部を覆う底板部材とを備えてなり、前記底板部材と左右の側板とで囲繞される空間によって、粒状またはマット状の装飾性敷設材を充填し得る充填空間が形成されている溝路の通水被覆装置であるから、充填空間に装飾性敷設材を充填して溝路の上部を覆うことにより、粒状またはマット状の装飾性敷設材相互間に生じている隙間を通して雨水等の水を溝路に流入させることができる一方、装飾性敷設材によって溝路の上部が覆われていることにより、公園や整備された街路等の景観を阻害せず、良好に調和し得るものとなる。そして、該装飾性敷設材を上面で支持する底板部材として、多数の通水孔が穿設された平板状金属薄板や、該平板状金属薄板の外周に周壁部を備えた浅底箱状のものを用い得るとともに、該底板部材が梁部材上に配設されていることによって所定の耐荷重強度が得られるので、従来の金属製グレーチング構造を採用したものに比して、構造が簡単となり、容易かつ低コストで製作することができる。
【００１０】
また、前記底板部材が、梁部材上に着脱可能に載置されている構成にあっては、溝路の清掃時に底板部材のみを取り外したり、再度被着したりすることができる。ここで、該底板部材は、多数の通水孔を穿設した平板状金属薄板や、該平板状金属薄板の外周に周壁部を備えた浅底箱状のものを用い得るため、従来の金属製グレーチング構造を備えた透水性グレーチングに比して軽量であり、該透水性グレーチング全体を着脱する場合に比して、その取り外し及び再被着を容易になし得、取扱い性に優れたものとなる。
【発明を実施するための最良の形態】
【００１１】
以下に、本発明の一実施例を、図１，図２に基づいて説明する。
溝路１は、図２に示すように、底壁３と左右の側壁４，４とによって断面略Ｕ字状に形成されたＵ字溝ブロックからなる複数の溝路部材２を、地盤の所定深さ位置に一列状に埋設して構築されている。
【００１２】
本発明にかかる溝路の通水被覆装置５は、図１に示すように、溝路１の上部で互いに対向する左右の側板６，６を備えている。該側板６，６は、溝路１の左右の側壁４，４上または左右の側壁４，４の内側面１１ａ，１１ａに近接させて配設されており、これによって両側板６，６間に溝路１の上部開口と略等しい間隔の通水部７が形成されている。また、両側板６，６は、鉄鋼又はステンレス鋼からなる金属板材を素材にして形成されており、その長さは、図２に示すように、一列状をなす複数の溝路部材２の長手方向に亘る所定の長さとなっている。尚、該側板６，６は、図示したように断面Ｌ形に屈曲させて形成してもよいし、上下方向の垂直縁のみとすることも可能である。
【００１３】
前記左右の側板６，６は、図２に示すように、該側板６，６の長手方向に所定間隔で配設された複数の梁部材１０によって連結されている。各梁部材１０は強度に優れた金属製の角パイプからなり、その長さは、溝路１を構成する左右の側壁４，４の外側面１１ｂ，１１ｂから若干外方に突出する所定の長さとなっている。各梁部材１０は両側板６，６に直交する状態で配設されており、各梁部材１０と側板６，６は、該側板６，６に形成された挿通口１２，１２に梁部材１０を夫々挿通した状態で溶接によって強固に接合されている。そして、このように左右の側板６，６を移動不能に連結した各梁部材１０の左右両端部が、溝路１を構成する左右の側壁４，４の上端面に直接乗載されている。
【００１４】
また、側板６，６間に形成された通水部７には、溝路１の上部開口を覆う底板部材８が配設されている。該底板部材８は、多数の小孔からなる通水孔９が穿設された鉄鋼製、ステンレス鋼製の平板状金属薄板からなり、通水部７に露出する前記各梁部材１０の上面に着脱可能に乗載されている。尚、通水孔９は、円形の小孔以外に狭幅の長孔としてもよく、その開口径または開口幅は、後述する粒体の径より小さくなるように形成される。また、底板部材８としては、図３に示すように、外周に上方に立ち上がる周壁部１５を設けて浅底箱状に形成するようにしてもよい。これにより、溝路１の清掃時における底板部材８の着脱時に、後述する装飾性敷設材１４を完全に除去する必要がなく、装飾性敷設材１４が多少残留していても、その落下を防止することができる。
【００１５】
そして、該底板部材８と左右の側板６，６とで囲繞される空間によって充填空間１３が形成されており、該充填空間１３内には粒状またはマット状の装飾性敷設材１４が充填されている。ここで、粒状の装飾性敷設材１４としては、那智黒石，伊勢砂利，砕石等の小石や、ガラス，セラミックス製の粒体が好適に用いられ、また、マット状の装飾性敷設材１４としては、苔類，タマリュウ等の常緑宿根草，芝生等を植生した通水性を有するマット材が好適に用いられ得る。
【００１６】
前記各梁部材１０の両端部には、溶接によって接合した固定杆１６が、溝路１の側壁４，４の外側面１１ｂ，１１ｂに沿うようにして夫々下方に垂設されており、各固定杆１６には先端が溝路１の側壁４，４の外側面１１ｂ，１１ｂに圧接可能な固定螺子１７が夫々外側方から螺合されている。そして、各固定螺子１７を締め付け方向に螺回操作して、各固定螺子１７の先端部を側壁４，４の外側面１１ｂ，１１ｂに圧接させることにより、その緊締作用を介して、各梁部材１０を溝路１の側壁４，４に固定するようにしている。
【００１７】
ここで、施工に際しては、通水被覆装置５を溝路１の側壁４，４上に載置した後、各固定螺子１７の螺回操作による緊締作用を介して、各梁部材１０を溝路１の側壁４，４に固定する。そして、この固定状態において、底板部材８と左右の側板６，６とで囲繞された充填空間１３内に、粒状またはマット状の装飾性敷設材１４を、左右の側板６，６の上端と略同レベルとなるように充填する。この際、粒状の装飾性敷設材１４にあっては、各粒体が相互に非結合な状態で流動可能に充填される。尚、溝路１の周囲上部には、充填空間１３内に充填される装飾性敷設材１４と同じ装飾性敷設材１４やコンクリート上にタイル等を貼設した舗装材等が選択的に敷設されることとなる。
【００１８】
かかる構成にあって、底板部材８と左右の側板６，６とで囲繞される充填空間１３に装飾性敷設材１４を充填して溝路１の上部を覆うことにより、粒状またはマット状の装飾性敷設材１４相互間に生じている隙間を通して雨水等の水を溝路１に流入させることができる一方、装飾性敷設材１４によって溝路１の上部が覆われていることにより、公園や整備された街路等の景観を阻害せず、良好に調和し得るものとなる。そして、該装飾性敷設材１４を上面で支持する底板部材８が各梁部材１０上に配設されて支持されていることによって所定の耐荷重強度が得られる。これにより、従来の金属製グレーチング構造を採用したものに比して、通水被覆装置５の構造が簡単となり、容易かつ低コストで製作することができる。
【００１９】
また、前記底板部材８が、梁部材１０上に着脱可能に載置されていることにより、溝路１の清掃時に底板部材８のみを取り外したり、再度被着したりすることができる。ここで、該底板部材８は、多数の通水孔を穿設した平板状金属薄板や、該平板状金属薄板の外周に周壁部を備えた浅底箱状のものを用い得るため、従来の金属製グレーチング構造を備えた透水性グレーチングに比して軽量であり、該透水性グレーチング全体を着脱する場合に比して、その取り外し及び再被着を容易に行うことができ、取扱い性に優れたものとなる。
【００２０】
尚、本発明は上述した実施例の構成に限定されるものではなく、本発明の要旨を逸脱しない範囲で種々の変更が可能である。例えば、梁部材１０を金属製の角パイプに代えて、所定の厚みを有する縦向きの金属製帯板杆によって構成することもでき、この場合には角パイプに比してさらに高い強度を得ることができる。また、底板部材８を、中央部が若干高くなるように略山形に屈曲形成して水勾配を設けるようにしてもよい。
【図面の簡単な説明】
【００２１】
【図１】本発明にかかる溝路の通水被覆装置５の施工状態を示す縦断面図である。
【図２】同上の通水被覆装置５の外観斜視図である。
【図３】浅底箱状の底板部材８を備えた通水被覆装置５の外観斜視図である。
【符号の説明】
【００２２】
１  溝路
４  側壁
５  通水被覆装置
６  側板
８  底板部材
９  通水孔
１０  梁部材
１３  充填空間
１４  装飾性敷設材
【図１】
2008208636.tif 000003
【図２】
2008208636.tif 000004
【図３】
2008208636.tif 000005